(57)【要約】【課題】扉にデザイン性を与えつつ反りを防止すると共に軽量化を実現する。【解決手段】芯材４および化粧芯材５を矩形状に芯組してなる芯組材２の表裏に表面材３，３が接着剤により貼着されてなる扉であり、少なくとも一方の表面材には少なくとも一の貫通孔７が形成されると共に、芯組材において表面材の貫通孔に対応する位置に化粧芯材が配置されており、該化粧芯材が貫通孔を介して扉の外側から露見される。化粧芯材の表面は離型性を有しており、該表面に塗布された接着剤を硬化後に貫通孔を介して容易に剥離除去することができる。【選択図】図１
2010203111.tif 000002
【特許請求の範囲】
【請求項１】
表面が離型性を有する化粧芯材を含む複数の芯材を矩形状に芯組してなる芯組材と、この芯組材の表裏に接着剤を介して貼着される二枚の表面材とからなる扉において、少なくとも一方の表面材には芯組材における化粧芯材の位置に対応して該化粧芯材より小さい平面寸法を有する少なくとも一の貫通孔が形成されており、該化粧芯材の離型性表面が貫通孔を介して扉の外側から露見されることを特徴とする扉。
【請求項２】
表面が離型性を有する化粧芯材を含む複数の芯材を矩形状に芯組して芯組材を形成し、この芯組材の表裏に接着剤を塗布し、少なくとも一方に少なくとも一の貫通孔が化粧芯材より小さい平面寸法で形成された二枚の表面材を、芯組材における化粧芯材と表面材の貫通孔の位置が対応するようにして芯組材の表裏に表面材を貼着し、該接着剤が乾燥硬化した後に表面材の貫通孔を介して該乾燥硬化した接着剤を化粧芯材の表面から剥離除去することを特徴とする扉の製造方法。
【発明の詳細な説明】
【技術分野】
【０００１】
本発明は、扉および扉の製造方法に関する
【背景技術】
【０００２】
室内ドアなどに用いられるデザイン性に富んだ扉として、特許文献１に記載されるものがある。この扉は、内側板材の表裏に各々外側板材を貼着してなり、内側板材の嵌込孔にガラス板などの窓用板材を嵌め込むと共に、外側板材には該内側板材の嵌込孔に対応する位置に該嵌込孔に嵌め込まれた窓用板材より小さい寸法の窓孔を形成し、該窓孔を通じて窓用板材が見えるようにしてデザイン性を高めている。
【先行技術文献】
【特許文献】
【０００３】
【特許文献１】特開２００７−３２０１６３号公報
【発明の概要】
【発明が解決しようとする課題】
【０００４】
しかしながら、この扉は一枚板としての内側板材を用いるため、反りが起こりやすい。また、外側板材を含めて少なくとも三枚の板材を必要とするため全体重量が嵩み、搬送や施工の際に手間がかかる。
【０００５】
したがって、本発明が解決しようとする課題は、上記従来技術と同様のデザイン性を与えながらも反りの発生を防止すると共に軽量化を実現した新規な構成の扉を提供することである。
【課題を解決するための手段】
【０００６】
この課題を解決するため、請求項１に係る本発明は、表面が離型性を有する化粧芯材を含む複数の芯材を矩形状に芯組してなる芯組材と、この芯組材の表裏に接着剤を介して貼着される二枚の表面材とからなる扉において、少なくとも一方の表面材には芯組材における化粧芯材の位置に対応して該化粧芯材より小さい平面寸法を有する少なくとも一の貫通孔が形成されており、該化粧芯材の離型性表面が貫通孔を介して扉の外側から露見されることを特徴とする。
【０００７】
請求項２に係る本発明は、請求項２に係る本発明は、表面が離型性を有する化粧芯材を含む複数の芯材を矩形状に芯組して芯組材を形成し、この芯組材の表裏に接着剤を塗布し、少なくとも一方に少なくとも一の貫通孔が化粧芯材より小さい平面寸法で形成された二枚の表面材を、芯組材における化粧芯材と表面材の貫通孔の位置が対応するようにして芯組材の表裏に表面材を貼着し、該接着剤が乾燥硬化した後に表面材の貫通孔を介して該乾燥硬化した接着剤を化粧芯材の表面から剥離除去することを特徴とする扉の製造方法である。
【発明の効果】
【０００８】
本発明の扉は、芯材を芯組して得られる芯組材を使用してその表裏に表面材を貼着しているので、軽量で安価に製造することができると共に、反りが起こりにくい。
【０００９】
また、芯材の一部には表面が離型性を有する化粧芯材が用いられ、該化粧芯材の離型性表面が表面材の貫通孔から露見されるように構成されるので、デザイン性に富んだ扉が得られると共に、該離型性表面部分上に塗布された接着剤を硬化後に貫通孔を介して剥離除去することができるので、表面材や芯組材に加工を行わずとも、簡単に製造することができる。
【図面の簡単な説明】
【００１０】
【図１】本発明の実施例１による扉の正面図（ａ）およびこの扉の芯組材の正面図（ｂ）である。
【図２】本発明の実施例２による扉の正面図（ａ）およびこの扉の芯組材の正面図（ｂ）である。
【図３】本発明の実施例３による扉の正面図（ａ）およびこの扉の芯組材の正面図（ｂ）である。
【図４】本発明の実施例４による扉の正面図（ａ）およびこの扉の芯組材の正面図（ｂ）である。
【発明を実施するための最良の形態】
【００１１】
まず、本発明の扉の構成要素について説明する。
【００１２】
本発明の扉を構成する芯組材は、芯材を矩形状に芯組したものであって、たとえば長さ５０〜２４００ｍｍ、幅２〜４０ｍｍ、厚さ２０〜３０ｍｍ（扉厚に相当する）の芯材をステープルやタッカー、釘などを用いて任意に芯組して、高さ１６００〜２４００ｍｍ、幅５００〜９００ｍｍ、厚さ２０〜３０ｍｍの芯組材とする。芯材には、ＭＤＦ、ＬＶＬ、合板、無垢材などの木質材が用いられる。芯組に際しては所要の強度を持たせるように配慮し、芯組材の芯組の間にハニカム材などを嵌入しても良い。
【００１３】
芯組材を形成する芯材のうち少なくとも一の芯材には、表面が離型性を有する化粧芯材が用いられる。化粧芯材もＭＤＦ、ＬＶＬ、合板、無垢材などの木質材で形成されるが、その表面に離型性を有する化粧シート（たとえばシリコン系塗膜が塗布されたシートやアルミシート）を貼着したり、シリコン系などの合成樹脂塗料をコーティングするなどして離型性が付与されている。これら化粧シートや塗装による離型性表面加工は、化粧芯材の全面に行っても良いが、少なくとも、表面材の貫通孔から露見される可能性のある表面部分に対して行う必要がある。このようにして化粧芯材の表面が離型性を有するものとされていることにより、該表面に接着剤が塗布されても、その乾燥硬化後に表面材の貫通孔を介して容易に剥離除去することができる。化粧芯材の寸法や固定方法などは通常の（離型性表面加工が施されていない）芯材と同様であるが、表面材の貫通孔の大きさによっては通常の芯材より幅広に形成しても良い。
【００１４】
芯組材の表裏に貼着する表面材は、扉と同様の高さ１６００〜２４００ｍｍに形成され、幅５００〜９００ｍｍ、厚さは２〜３ｍｍ程度である。表面材はＭＤＦや合板、無垢材などの木質材であり、その表面には化粧シートやアルミシート、塗装などの表面処理がなされる。化粧シートは、その表裏に防湿紙が貼着されたものを使用することが好ましい。
【００１５】
少なくとも一方の表面材には、芯組材における化粧芯材に対応する位置に、該化粧芯材よりも寸法の小さい貫通孔が形成される。貫通孔は、化粧芯材より小さい寸法であれば任意の形状で任意の個数だけ形成することができる。
【００１６】
表面材に形成される貫通孔の木口面（開口縁）には、防湿塗料を塗布したり、表面材に貼着される化粧シートを巻き込んだり、木口化粧材を貼着したり、成型品を嵌め込んでも良い。さらに、表面材の裏面側貫通孔周辺部にも防湿塗料を塗布してより防水効果を高めることができる。
【００１７】
貫通孔の木口面や裏面側周辺部に塗布される防湿塗料としては、フタル酸樹脂・アクリル酸樹脂などのアクリル系、アクリルウレタン樹脂・ポリウレタン樹脂・エポキシ樹脂などのウレタン系、アクリルシリコン樹脂などのシリコン系、フッ素樹脂などのフッ素系の防湿塗料が好適である。
【００１８】
次に、本発明の扉の製造方法について概括的に説明する。まず、化粧芯材を含む芯材を用いて芯組材を得る。すなわち、任意の長さに加工した芯材同士をステープルやタッカー、釘などを用いて固定することで矩形状に枠組して芯組材とする。これにより、所定位置に化粧芯材が配置された芯組材が得られる。芯組材における化粧芯材の配置位置は、表面材を貼着したときに表面材における貫通孔の形成位置に対応している。
【００１９】
表面材については、少なくとも表裏いずれか一方の表面材に、芯組材に貼着したときに芯組材における化粧芯材の位置に対応する位置に、該化粧芯材よりも小さい寸法の貫通孔を形成する。貫通孔は、プレス加工、レーザー加工、ＮＣルーター加工などによって形成することができる。加工された木口（貫通孔の開口縁）には、表面材に貼着される化粧シートを巻き込んだり、木口化粧材を貼着したり、成型品を嵌め込んで化粧を施すことができる。
【００２０】
芯組材の表裏および／または表面材の裏面に接着剤をロールコータやスプレッターにより塗布する。芯組材の表裏のみ、または芯組材の表裏と表面材の裏面の両方に接着剤を塗布する場合は酢ビ系接着剤が適している。また、表面材の裏面側のみに接着剤を塗布する場合は、酢ビ系接着剤、エチレン酢ビ系接着剤やＰＵＲ（Ｐｏｌｙｕｒｅｔｈａｎｅ  Ｒｅａｃｔｉｖｅ  Ｈｏｔｍｅｌｔ）接着剤などが適している。
【００２１】
芯組材における化粧芯材に表面材の貫通孔が合うように芯組材の表裏に表面材を載せて、プレスによって接着一体化させる。
【００２２】
その後、接着剤が乾くのを待って、表面材貫通孔より覗く化粧芯材の表面にて乾燥固化した接着剤を剥がして除去する。化粧芯材の表面は離型性を有するので、乾燥硬化した接着剤を容易に剥離除去することができる。以上により本発明の扉が製造される。
【００２３】
以下、本発明を添付図面に示す幾つかの実施形態に則して詳述するが、本発明はこれら実施形態に限定されるものではなく、特許請求の範囲に規定される発明の範囲内において種々の変形や改変をなし得ることは云うまでもない。
【実施例１】
【００２４】
本発明の実施例１による扉１は、芯組材２（図１（ｂ））の表裏に表面材３，３が貼着されて構成されている。扉１の寸法は高さ２００２ｍ、幅７０３ｍｍ、厚さ３３ｍｍであり、芯組材２の寸法は高さおよび幅が扉１と略同一であって厚さが２７ｍｍであり、表面材３，３の寸法はいずれも高さおよび幅が扉１と略同一であって厚さが３ｍｍである。芯組材２を構成する各芯材４，４・・・の寸法は厚さが同厚の２７ｍｍであって幅と長さは芯組パターンに応じて適宜に形成されている。芯材４，４・・・のうち一つの横芯材が離型性表面を有する化粧芯材５とされており、芯材４，４・・・と同厚であるが幅が他の横芯材よりも広く４８ｍｍで形成されている。化粧芯材５の長さは６２０ｍｍである。芯材４，４・・・同士および芯材と化粧芯材５とはステープル６，６・・・で固定芯組されて芯組材２を形成している。
【００２５】
表面材３，３には、芯組材２における化粧芯材５の位置に対応して貫通孔７が形成されている（図１（ａ））。この実施例では芯組材２における化粧芯材５より若干小さい寸法、すなわち幅（高さ方向）４０ｍｍ、長さ（水平方向）６００ｍｍの横長の貫通孔７とされている。
【００２６】
この扉１の製造方法を説明すると、所定寸法に切断加工した芯材４，４・・・および化粧芯材５を用いて芯組し、ステープル６，６・・・で固定して芯組材２を形成する。一方、各表面材３については、芯組材２の表裏に寸法を合わせて貼着したときに化粧芯材５を覗くことができる位置にＮＣルーターで上記寸法の貫通孔７を形成し、その木口（開口縁）に防湿塗料を塗布する。
【００２７】
芯材４，４・・・および化粧芯材５による芯組材２の表裏に、ロールコータで接着剤を塗布して、表面材３，３を載せ、プレスにより熱圧着する。芯組材２と表面材３，３は同一の平面寸法を有しており、これらを重ね合わせたときに表面材３，３の貫通孔７は芯組材２における化粧芯材５の位置に対応している。
【００２８】
接着剤が乾燥した後、表面材３，３の貫通孔７から覗いている化粧芯材５の表面で乾燥硬化している接着剤を剥離除去する。以上により扉１が製造される。
【実施例２】
【００２９】
本発明の実施例２による扉１ａは、芯組材２ａにおいて一つの縦芯材が離型性表面を有する化粧芯材５ａとされており、芯材４，４・・・と同厚であるが幅が他の縦芯材よりも広く４８ｍｍで形成されている（図２（ｂ））。化粧芯材５ａの長さは１８００ｍｍである。また、表面材３ａ，３ａには、この芯組材２ａにおける化粧芯材５ａの位置に応じて、該化粧芯材５ａより若干小さい寸法、すなわち幅４０ｍｍ、長さ（高さ方向）１７９０ｍｍの縦長の貫通孔７ａが形成されている（図２（ａ））。上記以外の構成や製造方法は実施例１と同様であるので、同一ないし対応する部材ないし要素には同一の符号を付して、それらについての説明は割愛する。
【実施例３】
【００３０】
本発明の実施例３による扉１ｂは、芯組材２ｂにおいて高さ方向および幅方向において略中央に幅方向に並んで位置する３本の横芯材が離型性表面を有する化粧芯材５ｂ，５ｂ，５ｂとされており、芯材４，４・・・と同厚であるが幅が他の縦芯材よりも広く４８ｍｍで形成されている（図３（ｂ））。また、表面材３ｂ，３ｂには、この芯組材２ｂにおける化粧芯材５ｂ，５ｂ，５ｂの位置に応じて、該化粧芯材５ａより小さい寸法、すなわち直径４０ｍｍ程度の丸穴として３つの貫通孔７ｂ，７ｂ，７ｂが形成されている（図３（ａ））。上記以外の構成や製造方法は実施例１と同様であるので、同一ないし対応する部材ないし要素には同一の符号を付して、それらについての説明は割愛する。
【００３１】
なお、実施例１の芯組材２（図１（ｂ））の表裏にこの実施例の表面材３ｂ，３ｂを貼着しても同様の外観およびデザイン性を有する扉が得られるが、この実施例によれば表面材３ｂ，３ｂにおける貫通孔７ｂ，７ｂ，７ｂの位置に対応した部分のみに化粧芯材５ｂ，５ｂ，５ｂが配置されているため、化粧芯材とするための離型表面加工（離型性のシート貼着や塗装）に伴うコストを低減させることができるメリットがある。
【実施例４】
【００３２】
本発明の実施例４による扉１ｃは、芯組材２ｃにおいて一つの縦芯材が他の芯材４，４・・・と同厚であるが幅広（４８ｍｍ）に形成されている点において実施例２の芯組材２ａと共通しているが、この実施例では該縦芯材の全表面に離型表面加工を施すことに代えて、表面材３ｃにおいて縦方向に一列に並んで断続的に形成された貫通孔７ｃ，７ｃ，７ｃの位置に対応した部分のみに貫通孔より若干大きい面積に離型表面加工を施して化粧芯材５ｃとしている点で相違している。これにより、実施例３と同様に、化粧芯材とするための離型表面加工（離型性のシート貼着や塗装）に伴うコストを低減させることができるメリットがある。
【符号の説明】
【００３３】
１，１ａ，１ｂ，１ｃ  扉
２，２ａ，２ｂ，２ｃ  芯組材
３，３ａ，３ｂ，３ｃ  表面材
４  芯材
５，５ａ，５ｂ，５ｃ  化粧芯材
６  ステープル
７，７ａ，７ｂ，７ｃ  貫通孔
【図１】
2010203111.tif 000003
【図２】
2010203111.tif 000004
【図３】
2010203111.tif 000005
【図４】
2010203111.tif 000006